【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
物体側から像側へ順に、ズーミングのためには不動の正の屈折力の第１レンズ群と、ズーミングのために移動するレンズ群を２つ以上含む変倍系と、後レンズ群とを有し、隣り合うレンズ群の間隔がズーミングのために変化するズームレンズであって、
前記変倍系は、物体側から像側へ順に、ズーミングのために移動する負の屈折力の第２レンズ群と、ズーミングのために移動する負の屈折力の第３レンズ群とを有し、広角端から望遠端へのズーミングのために前記第２レンズ群は像側に移動し、前記第２レンズ群よりも像側に開口絞りを有し、
前記第１レンズ群及び第２レンズ群の焦点距離をそれぞれｆ１及びｆ２とし、広角端での前記第２レンズ群の結像倍率をβ２ｗとし、広角端での前記第１レンズ群と前記第２レンズ群との間の光軸上の間隔をＬ１２ｗとし、広角端での前記第１レンズ群の最も像側のレンズ面から前記開口絞りまでの光軸上の長さをＬ１Ｓｗとして、
２．８＜｜ｆ１／ｆ２｜＜１０．０
β２ｗ＜３．５０×１０−３×｜ｆ１／ｆ２｜３−８．４９×１０−２×｜ｆ１／ｆ２
｜２＋６．９０×１０−１×｜ｆ１／ｆ２｜−２．２２
｜Ｌ１２ｗ／Ｌ１Ｓｗ｜＜０．１０
なる条件式を満たすことを特徴とするズームレンズ。
【請求項２】
望遠端での前記第２レンズ群の結像倍率をβ２ｔとして、
４．００＜｜β２ｔ／β２ｗ｜＜６００．００
なる条件式を満たすことを特徴とする請求項１に記載のズームレンズ。
【請求項３】
前記第３レンズ群の焦点距離をｆ３として、
０．７０＜｜ｆ１／ｆ３｜＜６．００
なる条件式を満たすことを特徴とする請求項１又は２に記載のズームレンズ。
【請求項４】
前記第３レンズ群は、広角端から望遠端へのズーミングのために物体側へ凸状の軌跡を描いて移動することを特徴とする請求項１乃至３のうちいずれか１項に記載のズームレンズ。
【請求項５】
広角端での最も物体側のレンズ面から最も像側のレンズ面までの光軸上の長さをＤＴｗとして、
１．４０＜ＤＴｗ／ｆ１＜２．２０
なる条件式を満たすことを特徴とする請求項１乃至４のうちいずれか１項に記載のズームレンズ。
【請求項６】
広角端での前記第１レンズ群の像側主点から前記第２レンズ群の物体側主点までの光軸上の長さをＨ１２ｗとして、
０．１５＜Ｈ１２ｗ／ｆ１＜０．７５
なる条件式を満たすことを特徴とする請求項１乃至５のうちいずれか１項に記載のズームレンズ。
【請求項７】
前記第１レンズ群の光軸上の厚さをＤ１とし、前記第１レンズ群の最も像側のレンズ面から前記第１レンズ群の像側主点までの長さをＨ１ｋとして、
−０．９５＜Ｈ１ｋ／Ｄ１＜−０．３０
なる条件式を満たすことを特徴とする請求項１乃至６のうちいずれか１項に記載のズームレンズ。
【請求項８】
前記第２レンズ群の光軸上の厚さをＤ２とし、前記第２レンズ群の最も物体側のレンズ面から前記第２レンズ群の物体側主点までの長さをＨ２１として、
−０．１０＜Ｈ２１／Ｄ２＜０．７０
なる条件式を満たすことを特徴とする請求項１乃至７のうちいずれか１項に記載のズームレンズ。
【請求項９】
前記第１レンズ群の光軸上の厚さをＤ１として、
１．３０＜ｆ１／Ｄ１＜２．２０
なる条件式を満たすことを特徴とする請求項１乃至８のうちいずれか１項に記載のズームレンズ。
【請求項１０】
前記第１レンズ群は、６乃至９枚のレンズから構成されていることを特徴とする請求項１乃至９のうちいずれか１項に記載のズームレンズ。
【請求項１１】
フォーカシングのために前記第１レンズ群のうちの一部のレンズ群が移動することを特徴とする請求項１乃至１０のいずれか１項に記載のズームレンズ。
【請求項１２】
前記開口絞りと、前記開口絞りより像側のレンズ群とは、ズーミングのためには不動であることを特徴とする請求項１乃至１１のうちいずれか１項に記載のズームレンズ。
【請求項１３】
前記変倍系は、前記第３レンズ群の像側に、ズーミングのために移動する正の屈折力の第４レンズ群を有することを特徴とする請求項１乃至１２のうちいずれか１項に記載のズームレンズ。
【請求項１４】
前記変倍系は、前記第３レンズ群の像側に、ズーミングのために移動する負の屈折力の第４レンズ群を有することを特徴とする請求項１乃至１２のうちいずれか１項に記載のズームレンズ。
【請求項１５】
前記開口絞りは、前記変倍系の像側に配置されていることを特徴とする請求項１乃至１４のうちいずれか１項に記載のズームレンズ。
【請求項１６】
前記開口絞りは、前記後レンズ群を構成する複数のレンズの間に配置されていることを特徴とする請求項１乃至１４のうちいずれか１項に記載のズームレンズ。
【請求項１７】
前記後レンズ群は、ズーミングのためには不動の正の屈折力のレンズ群で構成されていることを特徴とする請求項１乃至１６のいずれか１項に記載のズームレンズ。
【請求項１８】
請求項１乃至１７のうちいずれか１項に記載のズームレンズと、
該ズームレンズによって形成された像を受ける撮像素子と、
を有することを特徴とする撮像装置。
【請求項１９】
広角端での前記ズームレンズの焦点距離をｆｗとし、ズーム比をＺとし、前記撮像素子のイメージサイズの対角長をφとして、
１．４０＜ｆｗ／φ
３．０＜Ｚ
なる条件式を満足することを特徴とする請求項１８に記載の撮像装置。
【手続補正２】
【補正対象書類名】明細書
【補正対象項目名】００１２
【補正方法】変更
【補正の内容】
【００１２】
本発明は、例えば、大口径比、高ズーム比、小型軽量、および高い光学性能の点で有利なズームレンズの提供を目的とする。
【手続補正３】
【補正対象書類名】明細書
【補正対象項目名】００１３
【補正方法】変更
【補正の内容】
【００１３】
本発明のズームレンズは、物体側から像側へ順に、ズーミングのためには不動の正の屈折力の第１レンズ群と、ズーミングのために移動するレンズ群を２つ以上含む変倍系と、後レンズ群とを有し、隣り合うレンズ群の間隔がズーミングのために変化するズームレンズであって、
前記変倍系は、物体側から像側へ順に、ズーミングのために移動する負の屈折力の第２レンズ群と、ズーミングのために移動する負の屈折力の第３レンズ群とを有し、広角端から望遠端へのズーミングのために前記第２レンズ群は像側に移動し、前記第２レンズ群よりも像側に開口絞りを有し、
前記第１レンズ群及び第２レンズ群の焦点距離をそれぞれｆ１及びｆ２とし、広角端での前記第２レンズ群の結像倍率をβ２ｗとし、広角端での前記第１レンズ群と前記第２レンズ群との間の光軸上の間隔をＬ１２ｗとし、広角端での前記第１レンズ群の最も像側のレンズ面から前記開口絞りまでの光軸上の長さをＬ１Ｓｗとして、
２．８＜｜ｆ１／ｆ２｜＜１０．０
β２ｗ＜３．５０×１０−３×｜ｆ１／ｆ２｜３−８．４９×１０−２×｜ｆ１／ｆ２
｜２＋６．９０×１０−１×｜ｆ１／ｆ２｜−２．２２
｜Ｌ１２ｗ／Ｌ１Ｓｗ｜＜０．１０
なる条件式を満たすことを特徴としている。
【手続補正４】
【補正対象書類名】明細書
【補正対象項目名】００１４
【補正方法】変更
【補正の内容】
【００１４】
本発明によれば、例えば、大口径比、高ズーム比、小型軽量、および高い光学性能の点で有利なズームレンズを得られる。
【手続補正５】
【補正対象書類名】明細書
【補正対象項目名】００１６
【補正方法】変更
【補正の内容】
【００１６】
次に各実施例のレンズ構成の特徴について説明する。本発明のズームレンズは、物体側から像側へ順に、ズーミングに際して（のためには）不動の正の屈折力の第１レンズ群、ズーミングに際して（のために）移動するレンズ群を２つ以上含む変倍系、後レンズ群を有している。そして隣り合うレンズ群の間隔がズーミングに際して変化する。変倍系は物体側から像側へ順に、ズーミングに際して（のために）移動する負の屈折力の第２レンズ群、ズーミングに際して移動する負の屈折力の第３レンズ群を有している。広角端から望遠端へのズーミングに際して第２レンズ群は像側に移動し、第２レンズ群よりも像側に開口絞りを有している。
【手続補正６】
【補正対象書類名】明細書
【補正対象項目名】００５９
【補正方法】変更
【補正の内容】
【００５９】
また、各実施例のズームレンズをズームレンズによって形成した像を受光する撮像素子を有する撮像装置に適用したときは次の条件式のうち１つ以上を満足するのが良い。広角端における全系（ズームレンズ）の焦点距離をｆｗ、全系のズーム比をＺ、撮像素子のイメージサイズの対角長をφとする。このとき、次の条件式のうち１つ以上を満足するのが良い。
１．４０＜ｆｗ／φ  ・・・（１１）
３．０＜Ｚ          ・・・（１２）
ここでズーム比Ｚは望遠端における全系の焦点距離をｆｔとするとき、
Ｚ＝ｆｔ／ｆｗ
である。